(57)【要約】  削孔作業を合理化することが可能で、効率良く銑鉄の解体作業を実施することができる高炉における銑鉄解体方法を提供する。  高炉内に残留する銑鉄５を発破により解体するようにした高炉における銑鉄解体方法において、銑鉄に、１回の発破作業に使用する発破孔７よりも多数の発破孔を縦向きに削孔し、発破孔に、当該発破孔を損壊から防護するための防護部材９を設け、各回の発破作業前に、防護部材を設けた発破孔のうち、火薬Ｇを装填する発破孔から防護部材を撤去し、その後、発破孔に装填した火薬で発破するようにした。
2011093199.tif 000002
【特許請求の範囲】
【請求項１】
高炉内に残留する銑鉄を発破により解体するようにした高炉における銑鉄解体方法において、
上記銑鉄に、１回の発破作業に使用する発破孔よりも多数の発破孔を縦向きに削孔し、
該発破孔に、当該発破孔を損壊から防護するための防護部材を設け、
各回の発破作業前に、上記防護部材を設けた上記発破孔のうち、火薬を装填する該発破孔から該防護部材を撤去し、
その後、上記発破孔に装填した火薬で発破するようにしたことを特徴とする高炉における銑鉄解体方法。
【請求項２】
前記防護部材は、前記発破孔を隠蔽する隠蔽部を有することを特徴とする請求項１に記載の高炉における銑鉄解体方法。
【発明の詳細な説明】
【技術分野】
【０００１】
本発明は、削孔作業を合理化することが可能で、効率良く銑鉄の解体作業を実施することができる高炉における銑鉄解体方法に関する。
【背景技術】
【０００２】
従来、高炉の残銑解体方法として、特許文献１が知られている。特許文献１では、高炉の残銑周囲の耐火レンガにステーブクーラ内周面から適宜間隔を存して縦方向の溝を穿設して自由面を形成すると共に残銑に縦方向の発破孔を回転ドリルによって複数個穿設したのち、発破孔内に適量の火薬を装填して爆破させることにより耐火レンガで囲繞されている残銑を順次破壊するようにしている。
【先行技術文献】
【特許文献】
【０００３】
【特許文献１】特開平３−２９１３１１号公報
【発明の概要】
【発明が解決しようとする課題】
【０００４】
背景技術にあっては、残銑に縦方向の発破孔を複数個穿設したのち爆破して、残銑を順次破壊するようにしている。発破孔の穿設個数は、１回の爆破作業に必要な個数だけ形成される。必要個数を越える数の発破孔を予め穿設しておいても、爆破作業により残銑がどのように崩壊するか不明であり、せっかく形成した発破孔が損壊されてしまって、その後の爆破作業に使用できないからである。また、残銑上を走行移動して穿設作業を行う穿孔重機が発破孔上を通り過ぎることによっても、事前に形成した発破孔が損傷を受けて、その利用ができなくなるおそれもある。【０００５】
従って、発破孔は、各回の爆破作業に必要な個数だけ形成するようにしていた。このため、爆破作業が複数回にわたる場合、各回の爆破作業前に、高炉内へ穿孔重機を搬入したり搬出したりする作業が必要となり、このように重機を何度も出し入れしなければならないことから、解体作業が極めて煩雑で効率が良くないという課題があった。【０００６】
本発明は上記従来の課題に鑑みて創案されたものであって、削孔作業を合理化することが可能で、効率良く銑鉄の解体作業を実施することができる高炉における銑鉄解体方法を提供することを目的とする。
【課題を解決するための手段】
【０００７】
本発明にかかる高炉における銑鉄解体方法は、高炉内に残留する銑鉄を発破により解体するようにした高炉における銑鉄解体方法において、上記銑鉄に、１回の発破作業に使用する発破孔よりも多数の発破孔を縦向きに削孔し、該発破孔に、当該発破孔を損壊から防護するための防護部材を設け、各回の発破作業前に、上記防護部材を設けた上記発破孔のうち、火薬を装填する該発破孔から該防護部材を撤去し、その後、上記発破孔に装填した火薬で発破するようにしたことを特徴とする。【０００８】
前記防護部材は、前記発破孔を隠蔽する隠蔽部を有することを特徴とする。
【発明の効果】
【０００９】
本発明にかかる高炉における銑鉄解体方法にあっては、削孔作業を合理化することができ、効率良く銑鉄の解体作業を実施することができる。
【図面の簡単な説明】
【００１０】
【図１】本発明に係る高炉における銑鉄解体方法が適用される高炉の一例を示す概略側断面図である。
【図２】図１に示した高炉の銑鉄に発破孔を削孔し防護部材を設ける工程を示す側断面図である。
【図３】図２の平面図である。
【図４】図２の要部拡大側断面図である。
【図５】図２の防護部材を示す斜視図である。
【図６】図２で形成したいずれかの発破孔に火薬を装填し、他の発破孔に防護部材を装着した状態を示す側断面図である。
【図７】本発明に係る高炉における銑鉄解体方法の他の態様を示す高炉の概略側断面図である。
【発明を実施するための形態】
【００１１】
以下に、本発明にかかる高炉における銑鉄解体方法の好適な実施形態を、添付図面を参照して詳細に説明する。図１には、高炉１全体の様子が示されている。高炉１の炉壁２は周知のように、外側から内側に向かって主に、鉄皮３、図示しないステーブクーラ及びスタンプ材、並びに耐火レンガ４を順次積層することで構成されている。
【００１２】
高炉１の炉底部１ａを改修する際には、鉄皮３内に残留している銑鉄５を冷却・固化させた後、炉底部１ａよりも上方部分を支持材で支持した状態で、当該上方部分に対して炉底部１ａを切断・分離し、基礎部分６と共にこの炉底部１ａを移動して、高炉１の設置位置から外方へ引き出す。そして、引き出した炉底部１ａで、銑滓塊や混銑塊を除去して銑鉄５上面を露出させ、これにより、その後の銑鉄５の解体作業の準備を行う。
【００１３】
まず、図２及び図３に示すように、銑鉄５の適宜位置に、上下方向縦向きに複数の発破孔７を削孔する。削孔作業は、炉底部１ａ内部へ搬入した削孔機８を用いて行う。一度の削孔機８の搬入で、当該削孔機８により形成する発破孔７の数は、１回の発破作業に使用する数よりも多数とする。
【００１４】
削孔機８の搬入・搬出作業を一度で済ませるために、銑鉄５の発破解体に必要な全部の発破孔７の削孔作業を、削孔機８の一度の搬入ですべて完了することが望ましい。もちろん、１回の発破作業に使用する発破孔７の数よりも多くの発破孔７を削孔する限り、複数回に分けて削孔機８を搬入して削孔作業を実施するようにしてもよい。これにより、１回の発破作業に使用する発破孔７の数だけ削孔する場合よりも、削孔機８の搬入・搬出回数を減少させることができる。
【００１５】
発破孔７には図２及び図４に示すように、各回の発破や削孔機８の走行移動に対し、発破孔７を損壊から防護するための防護部材９を設ける。防護部材９は、削孔作業を完了した直後に、あるいは削孔作業を完了した順に、いずれにしても損壊を受けるような事態が起こる前に、各発破孔７に設けることが好ましい。しかしながら、防護部材９の設置は、必要に応じて行うようにすれば良く、必ずしも全部の発破孔７に設けなくても良い。
【００１６】
図４及び図５には、防護部材９の一例が示されている。この防護部材９は、例えば鉄などの金属製であって、発破孔７内部に挿入される本体部１０と、本体部１０の一端（上端１０ｂ）に設けられ、発破孔７を隠蔽する隠蔽部１１とから構成される。
【００１７】
本体部１０は基本的には、予め削孔され、未だ発破作業に使用されない発破孔７が、発破作業によって崩落する等、損壊を受けることを防ぐものである。また、削孔作業のために削孔機８が銑鉄５上を通行することで、発破孔７の上端開口７ａ周縁（図４参照）に損壊が生じることを防ぐものである。
【００１８】
従って、本体部１０としては少なくとも、削孔した発破孔７の内周面７ｂを、当該発破孔７の上端開口７ａ周縁から適宜深さに亘り、全周に亘って支持し得る外周面１０ａを有していればよい。図示例にあっては、本体部１０は、上下両端が開放された中空円筒体状に形成されている。
【００１９】
この本体部１０には、その上端１０ｂの開口を封鎖して、隠蔽部１１が設けられている。隠蔽部１１は基本的には、発破孔７内に、発破に際して飛散する発破屑や削孔作業時の塵埃などの異物が侵入するのを防ぐものである。また、本体部１０の上端１０ｂを補強し、かつ発破孔７の上端開口７ａ周縁を保護する機能も奏する。
【００２０】
隠蔽部１１は少なくとも、発破孔７を隠蔽するように、当該発破孔７の孔径よりも大きな外形寸法で形成すればよい。このように形成すると、発破孔７の上端開口７ａ周縁周りの銑鉄５部分に隠蔽部１１を係止することができ、この隠蔽部１１に手指を掛けることで、容易に防護部材９を発破孔７から抜き出して撤去することができる。
【００２１】
図示例にあっては、隠蔽部１１は、本体部１０の上端１０ｂから外方へ鍔状に迫り出す円盤状に形成されている。本体部１０は、下端開口が封鎖されていても良い。
【００２２】
防護部材９の変形形態について説明すると、隠蔽部１１は設けなくても良い。本体部１０は、両端開口や上端開口下端封鎖の他、上端封鎖下端開口の中空筒体状であっても良い。本体部１０は封鎖部分があることで、強度が高まると共に、異物の発破孔７内への侵入を阻止することができる。
【００２３】
本体部１０は、中実軸体状であっても良い。また、本体部１０は、中空筒体状の場合、内周面及び／又は外周面に、補強用の螺旋状、縦条、もしくは周条を形成するようにしても良い。本体部１０は、中空筒体状及び中実軸体状のいずれの場合であっても、断面円形に限らず、断面多角形状であっても良い。
【００２４】
次に、図６に示すように、各回の発破作業前に、防護部材９を設けた発破孔７のうち、火薬Ｇを装填する発破孔７から防護部材９を抜き出して撤去する。もちろん、防護部材９を設ける必要のなかった発破孔７については、撤去作業は不要である。そして、この段階では、今回の発破作業には使用せず、その後の発破作業に使用される発破孔７のすべてに、防護部材９が装着される。
【００２５】
その後、発破作業に使用する発破孔７に火薬Ｇを装填する。次いで、鉄皮３の上周縁上に、防護蓋１２を設置する。以上のようにして、発破準備が完了した後、火薬Ｇに点火して銑鉄５を爆破する。発破作業が完了したら、防護蓋１２を取り去り、発破により解体した部分の銑鉄５を撤去する。
【００２６】
次回以降の発破作業については、すべての発破孔７を予め削孔しておいた場合を除き、当該次回の発破に必要な発破孔７よりも多くの発破孔７を削孔し、必要な防護部材９を発破孔７に設け、発破作業前に、火薬Ｇを装填する発破孔７から防護部材９を撤去し、発破孔７に火薬Ｇを装填して、上記と同様に発破作業を行う。従って、第１回目の発破作業前にすべての発破孔７を削孔しておけば、発破孔７から防護部材９を撤去することで、次回の発破作業準備を完了することができる。
【００２７】
以上説明した本実施形態に係る高炉における銑鉄解体方法にあっては、発破孔７に、当該発破孔７を損壊から防護するための防護部材９を設ける手順を備えていて、複数回にわたる発破作業の手順とは切り離して、数多くの発破孔７、ひいてはすべての発破孔７の削孔作業を一度で済ませることが可能であり、従って、削孔機８を炉底部１ａ内に出し入れする手間を軽減することができるので、削孔作業そのものの合理化を達成することができ、これにより、効率良く銑鉄５の解体作業を実施することができる。
【００２８】
また、防護部材９の隠蔽部１１により、火薬Ｇを装填する発破孔７内に、発破屑や塵埃等の異物が侵入することを阻止でき、事前に発破孔７を削孔しておいても、火薬Ｇを適切に装填することができて、円滑に発破作業を行うことができる。
【００２９】
上記実施形態にあっては、炉底部１ａを切断・分離し移動した後で、作業を行うこととしているが、炉底部１ａを切断・分離しなくても、図７に示すように、高炉１に形成した開口部分（図示せず）から高炉１内部に削孔機８を搬入することで、本方法を実施できることはもちろんである。
【符号の説明】
【００３０】
１  高炉
５  銑鉄
７  発破孔
９  防護部材
１１  隠蔽部
Ｇ  火薬
【図１】
2011093199.tif 000003
【図２】
2011093199.tif 000004
【図３】
2011093199.tif 000005
【図４】
2011093199.tif 000006
【図５】
2011093199.tif 000007
【図６】
2011093199.tif 000008
【図７】
2011093199.tif 000009
【国際調査報告】
2011093199.tif 000010
2011093199.tif 000011